(57)【要約】      （修正有）【課題】ツイスト回転のフィットネス効果を達成し、分解収納時には体積及び重量の軽減が可能なスウィング運動健康マシンを提供する。【解決手段】アームフレーム３の後部端には窪み形状の膝置き部を枢着し、下端にはローラーを円盤体のレールバー２０に配置し、また、円盤体２の前方エッジ底端には連結バーを設け、前方上方に延伸するグリップフレーム４を固定し、前記グリップフレームの前端は左右方向に円弧形に湾曲したハンドル４０とする。サポート足を使って円盤体を床の上に置いた後、使用者は両膝で膝置き部３０の上に跪き足先を床から離し、両手でグリップフレームのハンドルを握り、フット、腰、腹の力を使ってスウィングする。アームフレームは枢軸を軸心としレールバーに沿った左右スウィング運動をし、両膝同時の左右往復スウィング運動、或いは左右の外方向及び内側方向への膝置き部移動による腿開き運動を行える。【選択図】図１
0003159920.tif 000002
【実用新案登録請求の範囲】
【請求項１】
サポート足、円盤体、アームフレーム、及びグリップフレームを組み合わせて構成するスウィング運動健康マシンにおいて、
前記円盤体は、概ね半円より大きく円弧周囲エッジにレールバーを形成する若干円弧形の突出した形状のプレート体であり、レールバーの両側端と円盤体の前方エッジにはサポート足を固定して、若干傾斜状態のフレームを形成し、並びに、レールバーの両側端の上方には制御体を突設し、また、円盤体の中央上方には左右二つの棒体であるアームフレームを枢着し、前記アームフレームの後部端には窪み形状の膝置き部を枢着し、下端はローラーを円盤体のレールバー上に配置し、また、円盤体の前方エッジ底端には連結バーを設け、前方上方に延伸するグリップフレームを固定し、前記グリップフレームの前端は左右方向に円弧形に湾曲したハンドルとすることを特徴とするスウィング運動健康マシン。
【請求項２】
請求項１記載のスウィング運動健康マシンにおいて、前記アームフレームには挿入固定孔を設け、固定連結棒で左右のアームフレーム双方を固定結合して同時位置移動させることを特徴とするスウィング運動健康マシン。
【考案の詳細な説明】
【技術分野】
【０００１】
本考案はスウィング運動健康マシンに関するものである。それは、概ね半円より大きく円弧周囲エッジにレールバーを形成する円盤体を備え、レールバーの両側端と円盤体の前方エッジにはサポート足を固定して、若干傾斜状態のフレームを形成し、並びに、円盤体の中央上方には左右二つの棒体であるアームフレームを枢着し、前記アームフレームの後部端には窪み形状の膝置き部を枢着し、下端にはローラーを円盤体のレールバーに配置し、また、円盤体の前方エッジ底端には連結バーを設け、前方上方に延伸するグリップフレームを固定し、前記グリップフレームの前端は左右方向に円弧形に湾曲したハンドルとする。サポート足を使って円盤体を床の上に置いた後、使用者は両膝で膝置き部の上に跪き足先を床から離し、両手でグリップフレームのハンドルを握り、フット、腰、腹の力を使ってスウィングする。アームフレームは枢軸を軸心としレールバーに沿った左右スウィング運動をし、両膝同時の左右往復スウィング運動、或いは左右の外方向及び内側方向への膝置き部移動による腿開き運動を行える。このような往復運動によってツイスト回転のフィットネス効果を達成し、分解収納時には体積及び重量の軽減が可能な実用的な考案である。
【背景技術】
【０００２】
飲食のバランスの崩れ、運動場所や運動量の欠乏、人々の健康に対する重視に応じて、運動健康器具が生まれているが、現在ある器具の中には腰や太ももをねじる運動のトレーニング器具は非常に少なく、あったとしてもコスト高、大体積、重量のあるもので、空間の小さい一般家庭では収納が不可能で、空間がめいっぱい使われてしまう欠点もあり、現有するスウィング運動健康マシンの体積が大きすぎて重すぎる為、設計改良の必要性が持たれている。
【考案の概要】
【考案が解決しようとする課題】
【０００３】
本考案の目的は、次のスウィング運動健康マシンを提供することにある。それは、概ね半円より大きく円弧周囲エッジにレールバーを形成する円盤体を備え、レールバーの両側端と円盤体の前方エッジにはサポート足を固定して、若干傾斜状態のフレームを形成し、並びに、円盤体の中央上方には左右二つの棒体であるアームフレームを枢着し、前記アームフレームの後部端には窪み形状の膝置き部を枢着し、下端にはローラーを円盤体のレールバーに配置し、また、円盤体の前方エッジ底端には連結バーを設け、前方上方に延伸するグリップフレームを固定し、前記グリップフレームの前端は左右方向に円弧形に湾曲したハンドルとする。サポート足を使って円盤体を床の上に置いた後、使用者は両膝で膝置き部の上に跪き足先を床から離し、両手でグリップフレームのハンドルを握り、フット、腰、腹の力を使ってスウィングする。アームフレームは枢軸を軸心としレールバーに沿った左右スウィング運動をし、両膝同時の左右往復スウィング運動、或いは左右の外方向及び内側方向への膝置き部移動による腿開き運動を行える。このような往復運動によってツイスト回転のフィットネス効果を達成し、分解収納時には体積及び重量の軽減が可能な実用的な考案である。
【課題を解決するための手段】
【０００４】
請求項１の考案は、サポート足、円盤体、アームフレーム、及びグリップフレームを組み合わせて構成するスウィング運動健康マシンにおいて、
前記円盤体は、概ね半円より大きく円弧周囲エッジにレールバーを形成する若干円弧形の突出した形状のプレート体であり、レールバーの両側端と円盤体の前方エッジにはサポート足を固定して、若干傾斜状態のフレームを形成し、並びに、レールバーの両側端の上方には制御体を突設し、また、円盤体の中央上方には左右二つの棒体であるアームフレームを枢着し、前記アームフレームの後部端には窪み形状の膝置き部を枢着し、下端はローラーを円盤体のレールバー上に配置し、また、円盤体の前方エッジ底端には連結バーを設け、前方上方に延伸するグリップフレームを固定し、前記グリップフレームの前端は左右方向に円弧形に湾曲したハンドルとすることを特徴とするスウィング運動健康マシンとしている。
請求項２の考案は、請求項１記載のスウィング運動健康マシンにおいて、前記アームフレームには挿入固定孔を設け、固定連結棒で左右のアームフレーム双方を固定結合して同時位置移動させることを特徴とするスウィング運動健康マシンとしている。
【考案の効果】
【０００５】
本考案のスウィング運動健康マシンは、ツイスト回転のフィットネス効果を達成し、分解収納時の体積及び重量軽減効果を持つ。
【図面の簡単な説明】
【０００６】
【図１】本考案の実施例に関する立体図である。
【図２】本考案の実施例に関する側面図である。
【図３】本考案の実施例に関する立体分解図である。
【図４】本考案のグリップフレームを取り除いた実施例の立体分解図である。
【考案を実施するための形態】
【０００７】
参照図面に示す通り、本考案は主に、サポート足１、サポート足５、円盤体２、アームフレーム３、グリップフレーム４を組み合わせて構成する。前記円盤体２は概ね半円より大きく円弧周囲エッジにレールバー２０を形成する若干円弧形の突出した形状のプレート体であり、レールバー２０の両側端と円盤体２の前方エッジにはサポート足１、サポート足５を固定して、若干傾斜状態のフレームを形成し、並びに、レールバー２０の両側端の上方には制御体２００を突設し、また、円盤体２の中央上方には左右二つの棒体であるアームフレーム３を枢着し、前記アームフレーム３の後部端には窪み形状の膝置き部３０を枢着し、下端はローラー３１を円盤体２のレールバー２０上に配置し、また、円盤体２の前方エッジ底端には連結バー２１を設け、前方上方に延伸するグリップフレーム４を固定し、前記グリップフレーム４の前端は左右方向に円弧形に湾曲したハンドル４０とする。また、アームフレーム３には挿入固定孔３２を設けることも可能であり、固定連結棒３３で双方を固着するため同時位置移動が可能となる。
【０００８】
実際に操作使用する場合、使用者はまず、サポート足１とサポート足５をレールバー２０の両側端と円盤体２の前方エッジに固着し、全体フレームを平らな場所に置き、更に、円盤体２の前方縁の底端の連結バー２１上に前方上方に延伸するグリップフレーム４を固着し、その後使用者は両膝をそれぞれ膝置き部３０の上に置き足先を床から離し、両手でグリップフレーム４のハンドル４０を握り、フット、腰、腹の力を使ってスウィングを行う。アームフレーム３は枢軸２２を軸心とし、ローラー３１は円盤体２のレールバー２０上に配置し、レールバー２０の左右両側端に突設する制御体２００を係合させるため、アームフレーム３はレールバー２０の左右に沿って往復又は分合スウィングし、また、固定連結棒３３をアームフレーム３の挿入固定孔３２に挿入したならば、左右のアームフレーム３は一体固着されて動きが制限され必ず同方向に移動する。このような往復運動によってツイスト回転のフィットネス効果を達成する。並びに、逆過程で分解すると体積を縮小して収納でき、サポート足１とサポート足５及び円盤体２全体も非常に減り、全体の重量はそれに相対して大幅に減少する。
【符号の説明】
【０００９】
１  サポート足
２  円盤体
３  アームフレーム
４  グリップフレーム
５  サポート足
２０  レールバー
２１  連結バー
２２  枢軸
３０  膝置き部
３１  ローラー
３２  挿入固定孔
３３  固定連結棒
４０  ハンドル
２００  制御体
【図１】
0003159920.tif 000003
【図２】
0003159920.tif 000004
【図３】
0003159920.tif 000005
【図４】
0003159920.tif 000006